【手続補正書】
【提出日】平成17年4月19日(2005.4.19)
【手続補正１】
【補正対象書類名】明細書
【補正対象項目名】発明の名称
【補正方法】変更
【補正の内容】
【発明の名称】エジェクタ装置及び気圧式倍力装置
【手続補正２】
【補正対象書類名】明細書
【補正対象項目名】特許請求の範囲
【補正方法】変更
【補正の内容】
【特許請求の範囲】
【請求項１】
ケースの片面にエジェクタを構成する凹部を形成し、前記ケースの片面を気圧式倍力装置の負圧室のアウターシェルの内側に当接させ、該アウタシェルによって前記凹部を閉じて前記エジェクタを形成することを特徴とするエジェクタ装置。
【請求項２】
前記ケースの片面に、前記エジェクタのノズルに連通する入口室と、前記エジェクタのディフューザ、前記負圧室および負圧源に連通する出口室と、前記エジェクタの吸引口および前記負圧室に連通する吸引室とを構成する凹部を形成し、該凹部を前記アウタシェルによって閉じて、前記入口室、出口室および吸引室を形成し、前記出口室内に該出口室から前記負圧室への気体の流れを阻止する第１逆止弁を設け、前記吸引室内に、前記吸引室から前記負圧室への気体の流れを阻止する第２逆止弁を設けたことを特徴とする請求項１に記載のエジェクタ装置。
【請求項３】
平板状のケースの片面に、並列に配置される複数のエジェクタを構成する凹部を形成したことを特徴とする請求項１または２に記載のエジェクタ装置。
【請求項４】
負圧室を構成するアウタシェルを有する気圧式倍力装置において、ケースの片面に、エジェクタのノズルに連通する入口室と、前記エジェクタのディフューザ、該ディフューザの出口側で負圧源に連通する出口室と、前記エジェクタの吸引口および前記負圧室に連通する吸引室とを構成する凹部を形成し、該凹部を前記アウタシェルによって閉じて、前記入口室、出口室および吸引室を形成したことを特徴とする気圧式倍力装置。
【請求項５】
前記出口室は前記負圧室と連通し、前記出口室内に該出口室から前記負圧室への気体の流れを阻止する第１逆止弁を設け、前記吸引室内に前記吸引室から前記負圧室への気体の流れを阻止する第２逆止弁を設けたことを特徴とする請求項４に記載の気圧式倍力装置。
【手続補正３】
【補正対象書類名】明細書
【補正対象項目名】０００７
【補正方法】変更
【補正の内容】
【０００７】
このため、エジェクタのノズルおよびディフューザを断面形状が矩形の平面的な構造とした場合、充分な吸引風量を確保するためには、高さ方向の寸法を大きくする必要があり、車載スペース上の制約が大きくなる。また、エジェクタのノズルのスロート部の幅は、０．４〜０．６ｍｍ程度と小さいので、高さ方向の寸法が大きくなると、エジェクタのケースを射出成形することが困難になる。
【手続補正４】
【補正対象書類名】明細書
【補正対象項目名】０００８
【補正方法】変更
【補正の内容】
【０００８】
本発明は、上記の点に鑑みてなされたものであり、スペース上の制約を解消することができるエジェクタ装置及び気圧式倍力装置を提供することを目的とする。
【手続補正５】
【補正対象書類名】明細書
【補正対象項目名】０００９
【補正方法】変更
【補正の内容】
【０００９】
【課題を解決するための手段】
上記の課題を解決するために、請求項１の発明に係るエジェクタ装置は、ケースの片面にエジェクタを構成する凹部を形成し、前記ケースの片面を気圧式倍力装置の負圧室のアウターシェルの内側に当接させ、該アウタシェルによって前記凹部を閉じて前記エジェクタを形成することを特徴とする。
このように構成したことにより、エジェクタを気圧式倍力装置内に内蔵することができ、車載スペース上の制約を解消することができる。
また、請求項２の発明に係るエジェクタ装置は、上記請求項１の発明において、前記ケースの片面に、前記エジェクタのノズルに連通する入口室と、前記エジェクタのディフューザ、前記負圧室および負圧源に連通する出口室と、前記エジェクタの吸引口および前記負圧室に連通する吸引室とを構成する凹部を形成し、該凹部を前記アウタシェルによって閉じて、前記入口室、出口室および吸引室を形成し、前記出口室内に該出口室から前記負圧室への気体の流れを阻止する第１逆止弁を設け、前記吸引室内に、前記吸引室から前記負圧室への気体の流れを阻止する第２逆止弁を設けたことを特徴とする。
このように構成したことにより、ケースの高さ方向の寸法を大きくすることなく、第１及び第２逆止弁をケース内に収容することができる。
請求項３の発明に係るエジェクタ装置は、上記請求項１または２の発明において、前記平板状のケースの片面に、並列に配置される複数のエジェクタを構成する凹部を形成したことを特徴とする。
このように構成したことにより、エジェクタを並列に配置することによって、ケースの高さ方向の寸法を大きくすることなく、吸引風量を大きくすることができる。
請求項４の発明に係る気圧式倍力装置は、負圧室を構成するアウタシェルを有する気圧式倍力装置において、ケースの片面に、エジェクタのノズルに連通する入口室と、前記エジェクタのディフューザ、該ディフューザの出口側で負圧源に連通する出口室と、前記エジェクタの吸引口および前記負圧室に連通する吸引室とを構成する凹部を形成し、該凹部を前記アウタシェルによって閉じて、前記入口室、出口室および吸引室を形成したことを特徴とする。また、請求項５の発明に係る気圧式倍力装置は、上記請求項４の発明において、前記出口室は前記負圧室と連通し、前記出口室内に該出口室から前記負圧室への気体の流れを阻止する第１逆止弁を設け、前記吸引室内に前記吸引室から前記負圧室への気体の流れを阻止する第２逆止弁を設けたことを特徴とする。
このように構成したことにより、エジェクタを気圧式倍力装置と一体にすることができ、車載スペース上の制約を解消することができる。
【手続補正６】
【補正対象書類名】明細書
【補正対象項目名】００２３
【補正方法】変更
【補正の内容】
【００２３】
【発明の効果】
以上詳述したように、請求項１の発明に係るエジェクタ装置によれば、ケースの片面にエジェクタを構成する凹部を形成し、前記ケースの片面を気圧式倍力装置の負圧室のアウターシェルの内側に当接させ、該アウタシェルによって前記凹部を閉じて前記エジェクタを形成するので、エジェクタを気圧式倍力装置の負圧室に内蔵して、車載スペース上の制約を解消することができる。
また、請求項２の発明に係るエジェクタ装置によれば、ケースの高さ方向の寸法を大きくすることなく、第１及び第２逆止弁をケース内に収容することができ、スペース上の制約を解消することができる。この場合も、ケースの高さ方向の寸法が大きくならないので、ケースを射出成形等によって容易に一体成形することができる。
請求項３の発明に係るエジェクタ装置によれば、複数のエジェクタを並列に配置することによって、ケースの高さ方向の寸法を大きくすることなく、吸引風量を大きくすることができる。
請求項４の発明に係る気圧式倍力装置によれば、負圧室を構成するアウタシェルを有する気圧式倍力装置において、ケースの片面に、エジェクタのノズルに連通する入口室と、前記エジェクタのディフューザ、該ディフューザの出口側で負圧源に連通する出口室と、前記エジェクタの吸引口および前記負圧室に連通する吸引室とを構成する凹部を形成し、該凹部を前記アウタシェルによって閉じて、前記入口室、出口室および吸引室を形成し、また、請求項５の発明に係る気圧式倍力装置によれば、前記出口室は前記負圧室と連通し、前記出口室内に該出口室から前記負圧室への気体の流れを阻止する第１逆止弁を設け、前記吸引室内に前記吸引室から前記負圧室への気体の流れを阻止する第２逆止弁を設けることにより、エジェクタを気圧式倍力装置と一体にすることができ、車載スペース上の制約を解消することができる。